(57)【要約】【課題】電力消費が小さく且つ安価な電池駆動式の機器を提供する。【解決手段】電池駆動式の機器であって、表示部は感熱材１０と導電体１１ｃ，１２ｃとを有し、感熱材１０に現れる所定の模様の変色パターンは、未使用状態で第１導電体１１ｃ及び第２導電体１２ｃの両方に通電されていない場合の第１状態と、未使用状態から使用状態になることで第１導電体１１ｃに通電され且つ第２導電体１２ｃに通電されていない場合の第２状態と、使用状態になった後、電池の残容量が下限値に低下することで第２導電体１２ｃにも通電された場合の第３状態に遷移する間で順に変化する。【選択図】図３
2019152601.tif 000002
【特許請求の範囲】
【請求項１】
電力を供給する電池と、
前記電池から供給される電力を消費して動作する動作部と、
前記電池から供給される電力を消費して、表示する情報を変更可能な表示部とを筐体に備える電池駆動式の機器であって、
前記表示部は、熱により変色する感熱材と、前記電池から電力の供給を受けることができる導電体とを有し、前記導電体に通電されることで発生するジュール熱により前記感熱材に所定の模様の変色パターンが現れるように構成され、
前記導電体は、前記電池から電力が供給されることで未使用状態から使用状態になった場合に通電される第１導電体と、前記使用状態になった後、前記電池の残容量が所定の下限値に低下した場合に通電される第２導電体とを有し、
前記感熱材に現れる所定の模様の変色パターンは、
前記未使用状態で前記第１導電体及び前記第２導電体の両方に通電されていない場合の第１状態と、
前記未使用状態から前記使用状態になることで前記第１導電体に通電され且つ前記第２導電体に通電されていない場合の第２状態と、
前記使用状態になった後、前記電池の残容量が前記下限値に低下することで前記第２導電体にも通電された場合の第３状態に遷移する間で順に変化する電池駆動式の機器。
【請求項２】
前記第１導電体及び前記第２導電体は前記感熱材よりも前記筐体の内側に設けられ、
前記第１導電体及び前記第２導電体の形状に対応した模様が前記感熱材に現れる変色パターンになる請求項１に記載の電池駆動式の機器。
【請求項３】
前記表示部が有する前記感熱材は一つであり、
一つの前記感熱材に、前記第１導電体に通電することで発生するジュール熱によって変色する第１領域と、前記第２導電体に通電することで発生するジュール熱によって変色する第２領域とが各別に設定されている請求項１又は２に記載の電池駆動式の機器。
【請求項４】
前記表示部が有する前記感熱材は第１感熱材と第２感熱材との二つであり、
前記第１感熱材に、前記第１導電体に通電することで発生するジュール熱によって変色する第１領域が設定され、
前記第２感熱材に、前記第２導電体に通電することで発生するジュール熱によって変色する第２領域が設定されている請求項１又は２に記載の電池駆動式の機器。
【請求項５】
前記動作部は、火災検出センサ、及び、ガス漏れ検出センサ、及び、一酸化炭素検出センサの内の少なくとも二以上の検出センサを有して構成される請求項１〜４の何れか一項に記載の電池駆動式の機器。
【発明の詳細な説明】
【技術分野】
【０００１】
本発明は、電力を供給する電池と、前記電池から供給される電力を消費して動作する動作部と、前記電池から供給される電力を消費して、表示する情報を変更可能な表示部とを筐体に備える電池駆動式の機器に関する。
【背景技術】
【０００２】
特許文献１（特開平１０−２８３５８２号公報）には、電池駆動式の警報装置が記載されている。このような電池駆動式の警報装置の利点として、商用交流電源との接続配線が難しいような設置箇所や美観を大切にするような設置箇所に警報装置を設けることが要求された場合に適用可能である点が挙げられる。
【０００３】
電池駆動式の機器は、設置箇所の自由度が高くなるという利点などがあるものの、電池容量に限りがあるため、電力消費を小さくすることが求められる。特に、様々な情報を表示する表示部に用いられることが多いＬＥＤなどのランプは、電池駆動式の機器に搭載するには電力消費が大きいという問題がある。
【０００４】
そのため、特許文献２（実開昭５９−２０２８１号公報）に記載のような磁気反転型表示器が用いられることもある。この磁気反転型表示器は、反転し得るように支持された表示ディスクと、その表示ディスクの反転軸の周りにその表示ディスクと共に反転し得るように設けられた永久磁石と、その永久磁石に対向する位置に磁極を有し、その極性を反転し得る電磁石装置とを有する。そして、電磁石装置のコイルに電流を流して磁極の極性を反転させて、永久磁石及び表示ディスクを反転軸周りで反転させることで、表示が変更される。このように、磁気反転型表示器は、反転動作時以外は電力を消費しないという利点がある。
【先行技術文献】
【特許文献】
【０００５】
【特許文献１】特開平１０−２８３５８２号公報
【特許文献２】実開昭５９−２０２８１号公報
【発明の概要】
【発明が解決しようとする課題】
【０００６】
しかしながら、特許文献２に記載の磁気反転型表示器は、永久磁石を使用することから価格が高いことが課題としてあった。
【０００７】
本発明は、上記の課題に鑑みてなされたものであり、その目的は、電力消費が小さく且つ安価な電池駆動式の機器を提供する点にある。
【課題を解決するための手段】
【０００８】
上記目的を達成するための本発明に係る電池駆動式の機器の特徴構成は、電力を供給する電池と、
前記電池から供給される電力を消費して動作する動作部と、
前記電池から供給される電力を消費して、表示する情報を変更可能な表示部とを筐体に備える電池駆動式の機器であって、
前記表示部は、熱により変色する感熱材と、前記電池から電力の供給を受けることができる導電体とを有し、前記導電体に通電されることで発生するジュール熱により前記感熱材に所定の模様の変色パターンが現れるように構成され、
前記導電体は、前記電池から電力が供給されることで未使用状態から使用状態になった場合に通電される第１導電体と、前記使用状態になった後、前記電池の残容量が所定の下限値に低下した場合に通電される第２導電体とを有し、
前記感熱材に現れる所定の模様の変色パターンは、
前記未使用状態で前記第１導電体及び前記第２導電体の両方に通電されていない場合の第１状態と、
前記未使用状態から前記使用状態になることで前記第１導電体に通電され且つ前記第２導電体に通電されていない場合の第２状態と、
前記使用状態になった後、前記電池の残容量が前記下限値に低下することで前記第２導電体にも通電された場合の第３状態に遷移する間で順に変化する点にある。
【０００９】
上記特徴構成によれば、筐体の外部からは感熱材が見える。そして、感熱材に現れる変色パターンは、未使用状態で第１導電体及び第２導電体の両方に通電されていない場合の第１状態から、使用状態になることで第１導電体に通電され且つ第２導電体に通電されていない場合の第２状態、及び、使用状態になった後、電池の残容量が下限値に低下することで第２導電体にも通電された場合の第３状態へと遷移する間で順に変化する。
また、感熱材の変色パターンの変化は、第１導電体及び第２導電体への通電に伴う発熱によって行われるので、変色パターンを変化させるために大きな電力が消費されることもない。
従って、電力消費が小さく且つ安価な電池駆動式の機器を提供できる。
【００１０】
本発明に係る電池駆動式の機器の別の特徴構成は、前記第１導電体及び前記第２導電体は前記感熱材よりも前記筐体の内側に設けられ、
前記第１導電体及び前記第２導電体の形状に対応した模様が前記感熱材に現れる変色パターンになる点にある。
【００１１】
上記特徴構成によれば、感熱材の内側に設けた第１導電体及び第２導電体で発生するジュール熱によって、感熱材をそれぞれの形状に対応した模様で変色させることができる。
【００１２】
本発明に係る電池駆動式の機器の更に別の特徴構成は、前記表示部が有する前記感熱材は一つであり、
一つの前記感熱材に、前記第１導電体に通電することで発生するジュール熱によって変色する第１領域と、前記第２導電体に通電することで発生するジュール熱によって変色する第２領域とが各別に設定されている点にある。
【００１３】
上記特徴構成によれば、第１導電体の通電により変色する感熱材の第１領域と、第２導電体により変色する感熱材の第２領域とが、一つの感熱材の中で別々に設定されている。つまり、一つの感熱材を見た使用者は、未使用状態で第１導電体及び第２導電体の両方に通電されていないことで未だ感熱材が変色していない状態（第１状態）から、使用状態になることで第１導電体に通電され且つ第２導電体に通電されていないことで感熱材の第１領域のみが変色した状態（第２状態）、及び、使用状態になった後、電池の残容量が下限値に低下することで第２導電体にも通電されたことで感熱材の第１領域及び第２領域の両方が変色した状態（第３状態）への遷移を区別して認識できる。
【００１４】
本発明に係る電池駆動式の機器の更に別の特徴構成は、前記表示部が有する前記感熱材は第１感熱材と第２感熱材との二つであり、
前記第１感熱材に、前記第１導電体に通電することで発生するジュール熱によって変色する第１領域が設定され、
前記第２感熱材に、前記第２導電体に通電することで発生するジュール熱によって変色する第２領域が設定されている点にある。
【００１５】
上記特徴構成によれば、第１感熱材に、第１導電体の通電により変色する感熱材の第１領域が設定され、第２感熱材に、第２導電体により変色する感熱材の第２領域が設定されている。つまり、二つの感熱材（第１感熱材及び第２感熱材）を見た使用者は、未使用状態で第１導電体及び第２導電体の両方に通電されていないことで未だ第１感熱材及び第２感熱材の両方が変色していない状態（第１状態）から、使用状態になることで第１導電体に通電され且つ第２導電体に通電されていないことで第１感熱材の第１領域のみが変色した状態（第２状態）、及び、使用状態になった後、電池の残容量が下限値に低下することで第２導電体にも通電されたことで第１感熱材の第１領域及び第２感熱材の第２領域の両方が変色した状態（第３状態）への遷移を区別して認識できる。
【００１６】
本発明に係る電池駆動式の機器の更に別の特徴構成は、前記動作部は、火災検出センサ、及び、ガス漏れ検出センサ、及び、一酸化炭素検出センサの内の少なくとも二以上の検出センサを有して構成される点にある。
【００１７】
上記特徴構成によれば、動作部の検出センサが検出した、火災の発生及びガス漏れの発生及び一酸化炭素濃度の上昇の内の少なくとも複数の異常を、外部に報知できる。
【図面の簡単な説明】
【００１８】
【図１】第１実施形態の電池駆動式の機器の斜視図である。
【図２】第１実施形態の電池駆動式の機器の構成を説明する図である。
【図３】第１実施形態の電池駆動式の機器の表示部の構成例を示す図である。
【図４】第１実施形態の電池駆動式の機器の表示部の構成例を示す図である。
【図５】第１実施形態の電池駆動式の機器の表示部の構成例を示す図である。
【図６】第２実施形態の電池駆動式の機器の斜視図である。
【図７】第２実施形態の電池駆動式の機器の表示部の構成例を示す図である。
【図８】第２実施形態の電池駆動式の機器の表示部の構成例を示す図である。
【図９】第２実施形態の電池駆動式の機器の表示部の構成例を示す図である。
【発明を実施するための形態】
【００１９】
＜第１実施形態＞
以下に図面を参照して本発明の第１実施形態に係る電池駆動式の機器について説明する。
図１は、第１実施形態の電池駆動式の機器の斜視図である。図２は、電池駆動式の機器の構成を説明する図である。尚、本実施形態では、警報装置Ａを電池駆動式の機器の一例として示す。図示するように、電池駆動式の警報装置Ａは、電力を供給する電池Ｂと、電池Ｂから供給される電力を消費して動作する動作部Ｃと、電池Ｂから供給される電力を消費して、表示する情報を変更可能な表示部Ｄとを筐体１に備える。動作部Ｃは、制御部３及び検出センサ４及び音声出力部５を有している。本実施形態では、筐体１の形状は、筐体１の前面１ａから見て矩形である。
【００２０】
検出センサ４は、例えば、ガス検出センサ、及び、ＣＯ（一酸化炭素）検出センサなどのセンサを有して構成される。検出センサ４の検出結果は制御部３に伝達される。
【００２１】
ガス検出センサは、例えば都市ガスを検出対象とする場合であれば、都市ガスの主成分であるメタンガス（ＣＨ４）の濃度を検知するためのメタンガス検出センサを用いて構成される。尚、他のガスを検出対象とする場合には、そのガスを検出可能なセンサを用いればよい。そして、制御部３が、ガス検出センサから伝達される検出結果に基づいて、ガス漏れが発生しているか否か（即ち、検出対象とするガス濃度が所定レベル以上であるか否か）を判定する。
【００２２】
ＣＯ検出センサは、一酸化炭素ガス（ＣＯ）の濃度を検知するためのガスセンサを用いて構成される。そして、制御部３が、ＣＯ検出センサから伝達される検出結果に基づいて、一酸化炭素の濃度が所定レベル以上になっているか否かを判定する。
【００２３】
筐体１の内部には音声出力部５も設けられる。音声出力部５は、音声を出力できるスピーカなどを用いて実現される。制御部３の制御によって音声出力部５から出力された音声は、筐体１の前面１ａに設けられた音孔９を通して筐体１の外部に放出される。
【００２４】
筐体１の前面１ａに設けられる表示部Ｄとして、表示窓６、ＣＯ用ランプ７、ガス用ランプ８がある。また、筐体１には、筐体１の外部と内部との間でのガスの流通を許容して、筐体１の外部に存在するＣＯやメタンガスなどが筐体１の内部のガス検出センサ（検出センサ４）に到達できるようにする通気孔（図示せず）が設けられている。筐体１の前面１ａにおいて、ＣＯ用ランプ７の上には「ＣＯ」という文字が記載され、ガス用ランプ８の上には「ガス」という文字が記載されている。その結果、使用者はどのランプが何の情報を表しているのかを知ることができる。各ランプはＬＥＤなどを用いて実現され、制御部３による制御に従って動作する。
【００２５】
例えば、制御部３は、ＣＯ検出センサ（検出センサ４）の検出結果に基づいて、所定値以上の濃度のＣＯが検出されたと判定するとＣＯ用ランプ７を点灯又は点滅させるといった警報表示を行わせ、所定値未満の濃度のＣＯしか検出されていなければＣＯ用ランプ７を消灯させる。更に、制御部３は、ＣＯ濃度の異常を知らせるための音声を音声出力部５から出力させてもよい。
【００２６】
また、制御部３は、ガス検出センサ（検出センサ４）の検出結果に基づいて、所定値以上の濃度のメタンが検出されたと判定するとガス用ランプ８を点灯又は点滅させるといった警報表示を行わせ、所定値未満の濃度のメタンしか検出されていなければガス用ランプ８を消灯させる。更に、制御部３は、ガス（メタン）濃度の異常を知らせるための音声を音声出力部５から出力させてもよい。
【００２７】
筐体１の天面１ｃにはネジ孔を有する引掛部２が設けられている。特に、引掛部２は、天面１ｃと背面との境界近傍に設けられている。従って、通常であれば、本実施形態の警報装置Ａは、壁面に設けられているネジなどの突起に引掛部２のネジ孔が引掛けられた状態、即ち、筐体１の背面が設置場所となる壁面に相対した状態で設置される。
【００２８】
警報装置Ａが備える制御部３及び検出センサ４及び音声出力部５及び表示部Ｄで消費される電力は全て電池Ｂから供給される。但し、電池Ｂから制御部３及び検出センサ４及び音声出力部５及び表示部Ｄへの電力供給は、使用者が起動指令受付部ＳＷによって警報装置Ａの起動指令を行った後から開始され、使用者が起動指令受付部ＳＷによって警報装置Ａの起動指令を行っていない間は電力供給が行われない。本実施形態では、この起動指令受付部ＳＷは、筐体１の側面１ｂで外部に露出している電源スイッチ１８である。そして、警報装置Ａは、電源スイッチ１８を移動させる電源投入操作が行われるのに応じて、電源投入操作が未だ行われていない未使用状態から電源投入操作が行われた後の使用状態へと移行するように構成される。
【００２９】
図３〜図５は、第１実施形態の電池駆動式の警報装置Ａの表示部Ｄの構成例を示す図である。
図示するように、表示部Ｄは、熱により変色する感熱材としての感熱紙１０と、電池Ｂから電力の供給を受けることができる導電体１１ｃ，１２ｃとを有し、導電体１１ｃ，１２ｃに通電されることで発生するジュール熱により感熱紙１０に所定の模様の変色パターンが現れるように構成される。導電体は、電池Ｂから電力が供給されることで未使用状態から使用状態になった場合に通電される第１導電体１１ｃと、使用状態になった後、電池Ｂの残容量が所定の下限値に低下した場合に通電される第２導電体１２ｃとを有する。尚、制御部３は、電池Ｂの残容量を例えば電池電圧を指標として認識できる。
【００３０】
第１導電体１１ｃは、端子１１ａと端子１１ｂとの間に接続されており、制御部３は、これら端子１１ａ及び端子１１ｂの間に流す電流を制御できる。第２導電体１２ｃは、端子１２ａと端子１２ｂとの間に接続されており、制御部３は、これら端子１２ａ及び端子１２ｂの間に流す電流を制御できる。例えば、第１導電体１１ｃ及び第２導電体１２ｃは、例えば電力ヒューズと同様の材料を用いて構成される。
【００３１】
本実施形態では、表示窓６は、筐体１の前面１ａに形成された開口である。筐体１内でその表示窓６に相対する部位に、表示部Ｄが有する一つの感熱紙１０が設定される。感熱紙１０の表面（表示面）、即ち、筐体１の外側を向いた面には、例えば白色などの所定の色が付されている。よって、筐体１の外部からは、表示窓６を通して感熱紙１０の表面が見えている。第１導電体１１ｃ及び第２導電体１２ｃは感熱紙１０よりも筐体１の内側に設けられている。具体的には、第１導電体１１ｃ及び第２導電体１２ｃは感熱紙１０の裏面に近接して配置されている。その結果、第１導電体１１ｃに電流が流れて発熱すると、その熱が感熱紙１０に伝わることで、感熱紙１０はその第１導電体１１ｃの形状に対応した形状で変色する。同様に、第２導電体１２ｃに電流が流れて発熱すると、感熱紙１０はその第２導電体１２ｃの形状に対応した形状で変色する。つまり、第１導電体１１ｃ及び第２導電体１２ｃの形状に対応した模様が、感熱紙１０に現れる変色パターンになる。本実施形態では、第１導電体１１ｃは、図示するような四角形の感熱紙１０の左上と右下との対角線を結ぶような直線形状になっており、第２導電体１２ｃは、四角形の感熱紙１０の左下と右上との対角線を結ぶような直線形状になっている。このように、一つの感熱紙１０に、第１導電体１１ｃに通電することで発生するジュール熱によって変色する第１領域（図２及び図３の「Ｒ１」）と、第２導電体１２ｃに通電することで発生するジュール熱によって変色する第２領域（図３の「Ｒ２」）とが各別に設定されている。
【００３２】
〔第１状態〕
図３は、第１状態にあるときの感熱紙１０を示している。
制御部３は、未使用状態において電池Ｂから電力が供給されていない場合には動作できない。そのため、第１状態では、第１導電体１１ｃ及び第２導電体１２ｃの何れも通電されず、ジュール熱を発することもない。よって、感熱紙１０が第１導電体１１ｃ及び第２導電体１２ｃによって変色させられることはない。このように、未使用状態で第１導電体１１ｃ及び第２導電体１２ｃの両方に通電されていない状態が、第１状態である。
【００３３】
〔第２状態〕
図４は、第２状態にあるときの感熱紙１０を示している。
制御部３は、使用状態において電池Ｂから電力が供給されている場合には動作できる。そして、制御部３は、未使用状態から使用状態になって電力の供給が開始されると、端子１１ａ及び端子１１ｂの間に流す電流を制御して第１導電体１１ｃに通電し、第２導電体１２ｃには通電しない。よって、感熱紙１０には、発熱した第１導電体１１ｃの形状に対応した模様（第１領域Ｒ１）が現れる。このように、未使用状態から使用状態になることで第１導電体１１ｃに通電され且つ第２導電体１２ｃに通電されていない状態が、第２状態である。
【００３４】
〔第３状態〕
図５は、第３状態にあるときの感熱紙１０を示している。
制御部３は、使用状態になった後、電池Ｂの残容量が下限値に低下した場合には、端子１２ａ及び端子１２ｂの間に流す電流を制御して第２導電体１２ｃに通電する。よって、感熱紙１０には、発熱した第２導電体１２ｃの形状に対応した模様（第２領域Ｒ２）が現れる。電池Ｂの残容量が下限値に低下したという事象は警報装置Ａが故障した状態であるとも言える。このように、使用状態になった後、電池Ｂの残容量が下限値に低下することで第２導電体１２ｃにも通電された状態が、第３状態である。
【００３５】
以上のように、筐体１の外部から見ることができる感熱紙１０に現れる変色パターンは、未使用状態で第１導電体１１ｃ及び第２導電体１２ｃの両方に通電されていない場合の第１状態から、使用状態になることで第１導電体１１ｃに通電され且つ第２導電体１２ｃに通電されていない場合の第２状態、及び、使用状態になった後、電池Ｂの残容量が下限値に低下することで第２導電体１２ｃにも通電された場合の第３状態へと遷移する間で順に変化する。また、感熱紙１０の変色パターンの変化は、第１導電体１１ｃ及び第２導電体１２ｃへの通電に伴う発熱によって行われるので、変色パターンを変化させるために大きな電力が消費されることもない。
【００３６】
また、第１導電体１１ｃの通電により変色する感熱紙１０の第１領域Ｒ１と、第２導電体１２ｃにより変色する感熱紙１０の第２領域Ｒ２とが、一つの感熱紙１０の中で別々に設定されている。つまり、一つの感熱紙１０を見た使用者は、未使用状態で第１導電体１１ｃ及び第２導電体１２ｃの両方に通電されていないことで未だ感熱紙１０が変色していない状態（第１状態）から、使用状態になることで第１導電体１１ｃに通電され且つ第２導電体１２ｃに通電されていないことで感熱紙１０の第１領域Ｒ１のみが変色した状態（第２状態）、及び、使用状態になった後、電池Ｂの残容量が下限値に低下することで第２導電体１２ｃにも通電されたことで感熱紙１０の第１領域Ｒ１及び第２領域Ｒ２の両方が変色した状態（第３状態）への遷移を区別して認識できる。
【００３７】
＜第２実施形態＞
第２実施形態の電池駆動式の機器は表示部Ｄの構成が上記実施形態と異なっている。以下に第２実施形態の電池駆動式の機器について説明するが、上記実施形態と同様の構成については説明を省略する。
【００３８】
図６は、第２実施形態の電池駆動式の機器の斜視図である。本実施形態では、表示窓６として、第１表示窓６ａ及び第２表示窓６ｂとが筐体１の前面１ａに設けられる。そして、第１表示窓６ａ及び第２表示窓６ｂのそれぞれの筐体１の内側には、第１感熱紙１０ａ及び第１導電体１１ｃの組と、第２感熱紙１０ｂ及び第２導電体１２ｃの組とが設けられる。つまり、表示部Ｄが有する感熱紙１０は第１感熱紙１０ａ（第１感熱材）と第２感熱紙１０ｂ（第２感熱材）との二つである。加えて、第１表示窓６ａの横の筐体１の外面には「電源」と記載され、第２表示窓６ｂの横の筐体１の外面には「故障」と記載されている。よって、使用者は、第１表示窓６ａによって電源に関する情報が表示され、第２表示窓６ｂによって故障に関する情報が表示されることを認識できる。
【００３９】
第１導電体１１ｃは、電池Ｂから電力が供給されることで未使用状態から使用状態になった場合に通電される。第２導電体１２ｃは、使用状態になった後、電池Ｂの残容量が所定の下限値に低下した場合に通電される。第１導電体１１ｃは、端子１１ａと端子１１ｂとの間に接続されており、制御部３は、これら端子１１ａ及び端子１１ｂの間に流す電流を制御できる。第２導電体１２ｃは、端子１２ａと端子１２ｂとの間に接続されており、制御部３は、これら端子１２ａ及び端子１２ｂの間に流す電流を制御できる。例えば、第１導電体１１ｃ及び第２導電体１２ｃは、例えば電力ヒューズと同様の材料を用いて構成される。
【００４０】
本実施形態でも、第１感熱紙１０ａ及び第２感熱紙１０ｂの表面（表示面）、即ち、筐体１の外側を向いた面には、例えば白色などの所定の色が付されている。第１導電体１１ｃは第１感熱紙１０ａの裏面に近接して配置されている。その結果、第１導電体１１ｃに電流が流れて発熱すると、第１感熱紙１０ａはその第１導電体１１ｃの形状に対応した形状で変色する。同様に、第２導電体１２ｃは感熱紙１０の裏面に近接して配置されている。その結果、第２導電体１２ｃに電流が流れて発熱すると、感熱紙１０はその第２導電体１２ｃの形状に対応した形状で変色する。つまり、第１導電体１１ｃ及び第２導電体１２ｃの形状に対応した模様が、感熱紙１０に現れる変色パターンになる。本実施形態では、第１導電体１１ｃは、四角形の第１感熱紙１０ａを水平方向に横切る直線形状になっており、第２導電体１２ｃも、四角形の第２感熱紙１０ｂを水平方向に横切る直線形状になっている。このように、第１感熱紙１０ａには、第１導電体１１ｃに通電することで発生するジュール熱によって変色する第１領域（図８及び図９の「Ｒ１」）が設定され、第２感熱紙１０ｂには、第２導電体１２ｃに通電することで発生するジュール熱によって変色する第２領域（図９の「Ｒ２」）が設定されている。
【００４１】
〔第１状態〕
図７は、第１状態にあるときの第１感熱紙１０ａ及び第２感熱紙１０ｂを示している。
制御部３は、未使用状態において電池Ｂから電力が供給されていない場合には動作できない。そのため、第１状態では、第１導電体１１ｃ及び第２導電体１２ｃの何れも通電されず、ジュール熱を発することもない。よって、第１感熱紙１０ａ及び第２感熱紙１０ｂが第１導電体１１ｃ及び第２導電体１２ｃによって変色させられることはない。このように、未使用状態で第１導電体１１ｃ及び第２導電体１２ｃの両方に通電されていない状態が、第１状態である。
【００４２】
〔第２状態〕
図８は、第２状態にあるときの第１感熱紙１０ａ及び第２感熱紙１０ｂを示している。
制御部３は、使用状態において電池Ｂから電力が供給されている場合には動作できる。そして、制御部３は、未使用状態から使用状態になって電力の供給が開始されると、端子１１ａ及び端子１１ｂの間に流す電流を制御して第１導電体１１ｃに通電し、第２導電体１２ｃには通電しない。よって、第１感熱紙１０ａには、発熱した第１導電体１１ｃの形状に対応した模様（第１領域Ｒ１）が現れる。このように、未使用状態から使用状態になることで第１導電体１１ｃに通電され且つ第２導電体１２ｃに通電されていない状態が、第２状態である。
【００４３】
〔第３状態〕
図９は、第３状態にあるときの第１感熱紙１０ａ及び第２感熱紙１０ｂを示している。
制御部３は、使用状態になった後、電池Ｂの残容量が下限値に低下した場合には、端子１２ａ及び端子１２ｂの間に流す電流を制御して第２導電体１２ｃに通電する。よって、第２感熱紙１０ｂには、発熱した第２導電体１２ｃの形状に対応した模様（第２領域Ｒ２）が現れる。電池Ｂの残容量が下限値に低下したという事象は警報装置Ａが故障した状態であるとも言える。このように、使用状態になった後、電池Ｂの残容量が下限値に低下することで第２導電体１２ｃにも通電された状態が、第３状態である。
【００４４】
以上のように、第１感熱紙１０ａに、第１導電体１１ｃの通電により変色する感熱紙１０の第１領域が設定され、第２感熱紙１０ｂに、第２導電体１２ｃにより変色する感熱紙１０の第２領域が設定されている。つまり、二つの第１感熱紙１０ａ及び第２感熱紙１０ｂを見た使用者は、未使用状態で第１導電体１１ｃ及び第２導電体１２ｃの両方に通電されていないことで未だ第１感熱紙１０ａ及び第２感熱紙１０ｂの両方が変色していない状態（第１状態）から、使用状態になることで第１導電体１１ｃに通電され且つ第２導電体１２ｃに通電されていないことで第１感熱紙１０ａの第１領域のみが変色した状態（第２状態）、及び、使用状態になった後、電池Ｂの残容量が下限値に低下することで第２導電体１２ｃにも通電されたことで第１感熱紙１０ａの第１領域及び第２感熱紙１０ｂの第２領域の両方が変色した状態（第３状態）への遷移を区別して認識できる。
【００４５】
＜別実施形態＞
＜１＞
上記実施形態では、本発明の電池駆動式の機器としての警報装置Ａの構成について具体例を挙げて説明したが、その構成は適宜変更可能である。例えば、感熱材として感熱紙１０を例示したが、紙以外の感熱材料を用いてもよい。
他にも、感熱紙１０、第１導電体１１ｃ、第２導電体１２ｃ等の形状及び大きさ及び設置位置などは上記実施形態で説明した具体例には限定されず、適宜変更可能である。
また、上記実施形態では、検出センサ４としてガス検出センサ及びＣＯ（一酸化炭素）検出センサを例示したが、他の種類のセンサであってもよい。
【００４６】
＜２＞
上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４７】
本発明は、電力消費が小さく且つ安価な電池駆動式の機器に利用できる。
【符号の説明】
【００４８】
１  筐体
４  検出センサ
５  音声出力部
１０  感熱紙（感熱材）
１０ａ  第１感熱紙（第１感熱材）
１０ｂ  第２感熱紙（第２感熱材）
１１ｃ  第１導電体
１２ｃ  第２導電体
Ａ  警報装置（機器）
Ｂ  電池
Ｃ  動作部
Ｄ  表示部
【図１】
2019152601.tif 000003
【図２】
2019152601.tif 000004
【図３】
2019152601.tif 000005
【図４】
2019152601.tif 000006
【図５】
2019152601.tif 000007
【図６】
2019152601.tif 000008
【図７】
2019152601.tif 000009
【図８】
2019152601.tif 000010
【図９】
2019152601.tif 000011